(57)【要約】【課題】  この発明は、受付手段で受付けた画像情報を前記表示手段に表示した後に貨幣処理手段に貨幣を投入させ、適切に貨幣が投入された後に印刷手段で写真をプリントして放出することのできる写真印刷方法とその装置、および写真撮影印刷装置の提供を目的とする。【解決手段】  この発明は、受付手段で受付けた画像情報を前記表示手段に表示した後に貨幣処理手段に貨幣を投入させ、適切に貨幣が投入された後に印刷手段で写真をプリントして放出することを特徴とする。【選択図】    図５
2006014347.tif 000002
【特許請求の範囲】
【請求項１】
投入貨幣を処理する貨幣処理ステップと、画像情報を受付ける受付ステップと、画像情報を表示する表示ステップと、画像情報をプリントして放出する印刷ステップとを備え、
前記受付ステップで画像情報を受付け、該画像情報を前記表示ステップで表示し、該表示をした後に前記貨幣処理ステップで貨幣を投入させ、適切に貨幣が投入された後に画像情報を前記印刷ステップでプリントして放出する写真印刷方法。
【請求項２】
入力操作を許容する入力ステップを備え、
前記画像情報を前記表示ステップで表示した後、前記貨幣処理ステップで貨幣を投入させる前に、前記表示ステップで表示された前記画像情報に前記入力ステップで加工を許容する
請求項１記載の写真印刷方法。
【請求項３】
投入貨幣を処理する貨幣処理手段と、
画像情報を受付ける受付手段と、
画像情報を表示する表示手段と、
画像情報をプリントして放出する印刷手段と、
これらの構成要素を制御する制御手段とを備え、
前記制御手段は、
前記受付手段で画像情報を受付け、該画像情報を前記表示手段に表示し、該表示をした後に前記貨幣処理手段に貨幣を投入させ、適切に貨幣が投入された後に画像情報を前記印刷手段でプリントして放出する構成にした
写真印刷装置。
【請求項４】
入力操作を許容する入力手段を備え、
前記画像情報を前記表示手段に表示した後、前記貨幣処理手段に貨幣を投入させる前に、前記表示手段に表示された前記画像情報に前記入力手段で加工を許容する構成にした
請求項３記載の写真印刷装置。
【請求項５】
前記受付手段を、
記憶媒体挿入口に挿入された記憶媒体より画像情報を読取る読取り部と、
撮像手段のコネクタの構造に対応したコネクタとで構成した
請求項３または４記載の写真印刷装置。
【請求項６】
投入貨幣を処理する貨幣処理手段と、
利用者を撮像して画像情報を取得する撮像手段と、
画像情報を表示する表示手段と、
画像情報をプリントして放出する印刷手段と、
これらの構成要素を制御する制御手段とを備え、
前記制御手段は、
前記撮像手段で撮像している利用者を前記表示手段に表示しておき、撮像の操作が行われると記録のための静止画像を画像情報として取得し、該画像情報を前記表示手段に表示し、該表示をした後に前記貨幣処理手段に貨幣を投入させ、適切に貨幣が投入された後に画像情報を前記印刷手段でプリントして放出する構成にした
写真撮像印刷装置。
【請求項７】
入力操作を許容する入力手段を備え、
前記画像情報を前記表示手段に表示した後、前記貨幣処理手段に貨幣を投入させる前に、前記表示手段に表示された前記画像情報に前記入力手段で加工を許容する構成にした
請求項６記載の写真撮像印刷装置。
【発明の詳細な説明】
【技術分野】
【０００１】
この発明は、例えば、ディジタルカメラやディジタルビディオカメラで撮影した画像をプリント（印刷）するように、印刷情報を印刷手段で用紙に印刷するな写真印刷方法とその装置、および写真撮影印刷装置に関する。
【背景技術】
【０００２】
従来、上述例のディジタルカメラにおいて、該カメラで撮影した画像情報を記憶した記憶媒体を受付ける端末機を店頭に設置して、記憶媒体から読取った画像情報を表示器に一覧表示し、その表示から画像を選択してプリント（印刷）処理する印刷装置がある。また、公衆通信回線を介して、プリントサービスを行っている業者のサーバに、自宅のパソコンから画像情報を転送し、プリント処理された用紙を後日郵送で受取るシステムも実行可能である。
【０００３】
しかし、これらのプリント処理は、受付手段で受付けた画像情報を前記表示手段に表示した後に貨幣処理手段に貨幣を投入させ、適切に貨幣が投入された後に印刷手段で写真をプリントして放出するものではない。
【０００４】
【特許文献１】特開平４−５０６２６４号公報
【発明の開示】
【発明が解決しようとする課題】
【０００５】
この発明は、上述した問題点を解決して、受付手段で受付けた画像情報を前記表示手段に表示した後に貨幣処理手段に貨幣を投入させ、適切に貨幣が投入された後に印刷手段で写真をプリントして放出することのできる写真印刷方法とその装置、および写真撮影印刷装置の提供を目的とする。
【課題を解決するための手段】
【０００６】
この発明の請求項１記載の発明は、投入貨幣を処理する貨幣処理ステップと、画像情報を受付ける受付ステップと、画像情報を表示する表示ステップと、画像情報をプリントして放出する印刷ステップとを備え、前記受付ステップで画像情報を受付け、該画像情報を前記表示ステップで表示し、該表示をした後に前記貨幣処理ステップで貨幣を投入させ、適切に貨幣が投入された後に画像情報を前記印刷ステップでプリントして放出する写真印刷方法であることを特徴とする。
この発明の請求項２記載の発明は、上記請求項１記載の発明の構成に併せて、入力操作を許容する入力ステップを備え、前記画像情報を前記表示ステップで表示した後、前記貨幣処理ステップで貨幣を投入させる前に、前記表示ステップで表示された前記画像情報に前記入力ステップで加工を許容する写真印刷方法であることを特徴とする。
【０００７】
この発明の請求項３記載の発明は、投入貨幣を処理する貨幣処理手段と、画像情報を受付ける受付手段と、画像情報を表示する表示手段と、画像情報をプリントして放出する印刷手段と、これらの構成要素を制御する制御手段とを備え、前記制御手段は、前記受付手段で画像情報を受付け、該画像情報を前記表示手段に表示し、該表示をした後に前記貨幣処理手段に貨幣を投入させ、適切に貨幣が投入された後に画像情報を前記印刷手段でプリントして放出する構成にした写真印刷装置であることを特徴とする。
【０００８】
この発明の請求項４記載の発明は、上記請求項３記載の発明の構成に併せて、入力操作を許容する入力手段を備え、前記画像情報を前記表示手段に表示した後、前記貨幣処理手段に貨幣を投入させる前に、前記表示手段に表示された前記画像情報に前記入力手段で加工を許容する構成にした写真印刷装置であることを特徴とする。
【０００９】
この発明の請求項５記載の発明は、上記請求項３または４記載の発明の構成に併せて、前記受付手段を、記憶媒体挿入口に挿入された記憶媒体より画像情報を読取る読取り部と、撮像手段のコネクタの構造に対応したコネクタとで構成した写真印刷装置であることを特徴とする。
【００１０】
この発明の請求項６記載の発明は、投入貨幣を処理する貨幣処理手段と、利用者を撮像して画像情報を取得する撮像手段と、画像情報を表示する表示手段と、画像情報をプリントして放出する印刷手段と、これらの構成要素を制御する制御手段とを備え、前記制御手段は、前記撮像手段で撮像している利用者を前記表示手段に表示しておき、撮像の操作が行われると記録のための静止画像を画像情報として取得し、該画像情報を前記表示手段に表示し、該表示をした後に前記貨幣処理手段に貨幣を投入させ、適切に貨幣が投入された後に画像情報を前記印刷手段でプリントして放出する構成にした写真撮像印刷装置であることを特徴とする。
【００１１】
この発明の請求項７記載の発明は、上記請求項６記載の発明の構成に併せて、入力操作を許容する入力手段を備え、前記画像情報を前記表示手段に表示した後、前記貨幣処理手段に貨幣を投入させる前に、前記表示手段に表示された前記画像情報に前記入力手段で加工を許容する構成にした写真撮像印刷装置であることを特徴とする。
【発明の効果】
【００１２】
この発明によれば、受付手段で受付けた画像情報を前記表示手段に表示した後に前記貨幣処理手段に貨幣を投入させ、適切に貨幣が投入された後に印刷手段で写真をプリントして放出することができる。
【発明を実施するための最良の形態】
【００１３】
この発明の一実施例を以下図面と共に説明する。  
図面はこの発明の撮像装置としてのディジタルカメラによる撮像および受付けシステムと、撮像機能を備えた受付け装置を示し、図１は撮像および受付けシステムを示す。
【００１４】
同図において、ディジタルカメラの受付け装置１０は、利用者が所持するディジタルカメラ１１または該装置１０が備えるディジタルカメラで撮像した画像情報を受入れてプリント処理の指示を出力する機能と、該指示の出力に基づいてプリント処理を実行する機能と、受付けた画像情報を他の場所にある取扱店（プリント専門店）に伝送する機能と、受付けた画像情報を保存のために他の記憶媒体に保存する機能とを備えている。
【００１５】
前述のディジタルカメラ１１は、撮像した画像情報を出力する出力手段として、該カメラ１１が撮像した画像情報を記憶する記憶媒体１２と、また、画像情報をディジタル信号として伝送するためのコネクタ１３とを備えており、記憶媒体１２は、例えば、コンパクトフラッシュ（登録商標）メモリ（ＦＣ）、スマートメディア、コンパクトディスク（ＣＤ）、光磁気ディスク（ＭＯ）、フロッピディスク（ＦＤ）、ＰＣカードなど複数種類があり（図８参照）、ディジタルカメラ１１のメーカにより採用する種類が異なる。また、コネクタ１３はメーカにより備えるカメラと備えないものとがあり、さらに、コネクタ１３の接続構造も一様ではない。  したがって、受付け装置１０の画像情報を受付けて入力する入力手段としての記憶媒体１２より画像情報を読取る読取り部１４は、各種の記憶媒体１２の種類に対応して複数台を設けており、同様にコネクタ１５もその接続構造の種類に対応して複数を設けている。
【００１６】
上述の受付け装置１０は制御部１６で各回路装置を駆動制御し、読取り部１４およびコネクタ１５で受付けた画像情報は表示部１７で表示し、画像情報に文字を入れたり、あるいは画像を修正したりする必要のあるときは入力部１８で加工する。
【００１７】
さらに、受付けた画像情報を即時プリント処理するときは、複数のプリンタ１９の１つを駆動制御してプリント２０をプリントアウトして放出するが、利用者が一時ストックを希望するときはスタッカ部２１に保管して後程これを取出すことも可能である。
【００１８】
読取り書込み部２２は受付けた画像情報を保存のために他の保存用記憶媒体２３に記憶する。この保存用記憶媒体２３は後日プリント２０を焼増しするために使用される。なお、ディジタルカメラ１１に装着される記憶媒体１２はカメラ１１で再利用されて新たに撮像された画像情報が上書きされるため先に撮像された画像情報は保存が不可能であり、また、保存用の記憶媒体２３を例えば安価なＦＤを使用することができ、経済的になる。
【００１９】
受付け装置１０が備えるディジタルカメラ２４は、例えば、証明写真を該装置１０の前で撮像するときに使用し、該ディジタルカメラ２４が撮像する画像は前述の表示部１７で表示し、撮像スイッチ２５を操作することで画像情報を取込むことができ、必要時には入力部１８で画像情報を加工することができ、また読取り書込み部２２で記憶媒体２３に保存する。
【００２０】
利用者が高品度のプリント２０を希望するときは、通信部２６が受付けた画像情報や加工情報と共に利用者の住所氏名の情報を、電話回線やデータ回線で構成されるネットワーク２７を介してプリント専門店２８に伝送し、サーバ２９はその画像情報や加工情報に基づいて高品度プリンタ３０で高品度のプリント２０をプリントアウトして、これを宅配または取りに行くことになる。
【００２１】
なお、上述の実施例において、ディジタルカメラ１１の撮像情報を出力する出力手段を、該画像情報を無線で伝送する無線通信装置で構成することもでき、このときは受付け装置１０側の入力手段を画像情報を無線で受信し得る無線通信装置を対応して設ければよい。
【００２２】
例えば、ＩｒＤＡ方式（＝赤外線無線通信）のカメラがタッチパネルで選択されたとき、カメラの設置場所を点滅表示すると共に、該当場所にカメラを設置したことをセンサで検知した場合に通信を開始するように構成することができる。  
図２は、前述の受付け装置１０を示し、表示部１７は例えばＣＲＴで構成して、操作の案内や、ディジシタルカメラ２４で撮像した画像および入力部１８で加工した画像を表示し、また、表示面には入力部１８としての入力操作を行うためのタッチパネルを装着している。
【００２３】
表示部１７の下部には、内部に構成される読取り部１４に各種の記憶媒体１２を挿入するための記憶媒体挿入口３２を各種の記憶媒体１２…に対応して複数個形成しており、また、各挿入口３２…にはそれぞれに対応して、例えばＬＥＤからなるフリッカ３３…を備えている。各挿入口３２…にはシャッタを備え、その内部に電送された画像情報を受付けて入力する前述のコネクタ１５の個々をそれぞれの記憶媒体１２に対応して備えている。なお、上述のコネクタ１５…は記憶媒体１２の挿入口３２…とは別に集合して設けることもできる。
【００２４】
また、上述の記憶媒体挿入口３２…とは別の位置に、保存用の記憶媒体２３を挿入する保存用記憶媒体挿入口３４を備え、その内部に前述の読取り書込み部２２が構成されている。
【００２５】
カード挿入口３５は利用者が所持するＩＤカードやその他設定されたカードを挿入し、また、ＩＤカードには利用者の住所氏名を記録する。
【００２６】
紙幣挿入口３６、硬貨投入口３７は料金の支払いに紙幣や硬貨を投入し、釣り銭があるときは釣り銭放出口３８に放出する。そして、レシート放出口３９はレシートを放出する。
【００２７】
プリント放出口４０は内部のプリンタ１９でプリントアウトされたプリント２０を放出し、２台のスタッカ部２１，２１はシャッタ付きであって、プリントアウトされたプリント２０をそれぞれ一時ストックする。なお、このスタッカ部２１，２１は装置内部に構成して、その放出口を前述のプリント放出口４０を利用して構成することもできる。
【００２８】
受付け装置１０が備えるディジタルカメラ２４は該装置１０の上面の前部に配設しており、この位置は操作する利用者の顔面位置に対応している。また、撮像スイッチ２５は装置１０の下部前部位置に配設しており、この位置は利用者の足元位置に対応し、利用者が足で操作できるようにして、該足で操作することで、上半身が動かず、また、焦点距離が適正に保たれ、ピントがずれるような撮像エラーがなくなるように配慮している。
【００２９】
図３は、受付け装置１０の制御回路ブロック図を示し、前述の制御部１６（図１参照）は、ＣＰＵ５０，ＲＯＭ５１，ＲＡＭ５２で構成し、ＣＰＵ５０はＲＯＭ５１に格納されたプログラムに沿って各回路装置を駆動制御し、また、ＲＡＭ５２は動作に必要なデータを記憶する。また、前述のＲＯＭ５１は各種の記憶媒体１２の種類およびコネクタ１３の伝送に対応するソフトを格納しており、記憶媒体１２やコネクタ１３が特定されると、該当するソフトを起動して、処理を実行する。
【００３０】
前述の読取り部１４（図１参照）は各種の記憶媒体１２…に対応した１〜ｎの複数台の読取り装置５３…で構成してそれぞれの画像情報を読取る。  
前述のコネクタ１５（図１参照）は各種のディジタルカメラ１１側のコネクタ１３の構造に対応した１〜ｎの複数種類のコネクタで構成してそれぞれの画像情報を入力する。
【００３１】
シャッタ５５は前述の読取り装置５３…の記憶媒体挿入口３２…に対応して１〜ｎの複数個を備え、前述の記憶媒体挿入口３２…を開閉操作する。  
フリッカ３３も、前述の読取り装置５３…の記憶媒体挿入口３２…に対応して１〜ｎの複数個を備え、前述の記憶媒体挿入口３２…の使用時を点滅、または点灯して表示する。
【００３２】
読取り書込み部２２は、画像情報を後日の焼き増しのために保存用記憶媒体２３に記憶させ、また、該保存用の記憶媒体２３から画像情報を読取る。
【００３３】
カードリーダ５６は、前述のカード挿入口３５の内部に構成し、挿入されたカードの読取り処理または書込み処理を実行する。  
紙幣処理装置５７は、前述の紙幣挿入口３６の内部に構成して、挿入された紙幣の真偽判定、金種判定、金額計数などの処理を実行し、また、硬貨処理装置５８は、前述の硬貨投入口３７の内部に構成して、投入された硬貨の真偽判定、金種判定、金額計数、釣り銭放出などの処理を実行する。  
レシートジャーナル処理部５９は、レシートおよびジャーナルに印字処理を実行する。
【００３４】
通信部２６は、ネットワーク２２（図１参照）に接続された他の装置との通信を実行し、図１で示したプリント専門店２８で、高品質プリントを行うための画像情報の通信を行う。  
色特性補正装置６１は、受入れた画像情報をプリントするときその色彩のバランスと、レベルを調整する。
【００３５】
プリンタ１９は、この例の場合、２台を示し、それぞれ制御されてプリントアウトの処理を実行して、プリント２０をプリント放出口４０、またはスタッカ部２１に送出する。  
また、２台のスタッカ部２１，２１は、それぞれ制御されてプリントアウトされたプリント２０を一時ストックする。
【００３６】
上述のように構成した撮像機能を備えたディジタルカメラの受付け装置１０のＣＰＵ５０による受付け処理およびプリント処理を図４、図５および図６に基づいて説明する。  
図４において、該受付け装置１０を操作するとき、図７に示すように、表示部１７には、「高品位プリント」「クイックプリント」「証明写真（プリント）」［アルバム作成（プリント）」「証明写真の撮像」の処理メニューの選択を案内表示している（ステップｎ１）。
【００３７】
ここで「証明写真の撮像」をタッチ入力すると、該処理が実行される。  
すなわち、ＣＰＵ５０は選択された処理が「証明写真の撮像」であれば（ステップｎ２）、受付け装置１０に備えたディジタルカメラ２４の電源を投入して動作状態におき、該カメラ２４で利用者の上半身を撮像して表示部１７に表示する（ステップｎ３，ｎ４）。
【００３８】
利用者が表示画像を確認して満足した時点で撮像スイッチ２５を足で操作すると、記録のための静止画像が表示部１７に表示される（ステップｎ６，ｎ７）。  
利用者が撮像した画像を確認して満足しないときは、入力部１８で再度撮像をタッチ入力して、ステップｎ４にリターンするが、記録画像に満足したときはディジタルカメラ２４の電源を切って次ぎのステップに移行する。
【００３９】
前述のステップｎ１の処理メニュー選択で、「高品位プリント」「クイックプリント」「証明写真（プリント）」［アルバム作成（プリント）」のプリント系を選択したときは選択したプリントの処理が実行される（ステップｎ２，ｎ９）。  
すなわち、ディジタルカメラ１１の画像情報の入力媒体を特定する（ステップｎ１０）。そのために表示部１７には、図８に示すように、ディジタルカメラ１１の外観形状を図形で示した画像と、各種の記憶媒体１２の外観図形とその種類名とで示した画像を表示しており、利用者が所持するディジタルカメラ１１に使用された記憶媒体１２の種類が不明であるときは、ディジタルカメラ１１の外観形状の図形部をタッチ入力し、また、記憶媒体１２の種類が判明しているときは、該当する種類の記憶媒体１２の図形部を選択してタッチ入力する。
【００４０】
図９は、前述の図８での入力操作で、ディジタルカメラ１１の図形を選択した場合に続く表示画面であって、この表示ではディジタルカメラ１１のメーカ名を表示して、利用者が所有するディジタルカメラ１１のメーカ名の図形部を選択してタッチ入力する。
【００４１】
図１０は、前述の図９での入力操作でメーカ名を選択した場合に続く表示画面であって、この表示では１社のメーカが製造している各種のディジタルカメラ１１の外観形状と機種名とを示した画像を表示し、利用者が所有するディジタルカメラ１１の外観形状に該当する図形部を選択してタッチ入力する。
【００４２】
上述の操作によりディジタルカメラ１１のメーカおよび機種が特定されると、予め受付け装置１０側のＲＡＭ５２には、メーカおよび機種に対応して記憶媒体１２の種類を記憶したテーブルを持たせることにより、ディジタルカメラ１１の形状から記憶媒体１２を特定することができる。なお、図示は省略しているが、ディジタルカメラ１１のコネクタ１３を特定する場合も、各メーカの機種の外観形状を選択して指定することで同様に特定することができる。
【００４３】
図４において、上述のようにしてディジタルカメラ１１の記憶媒体１２の特定操作が終了すると、次いで特定された入力媒体、すなわち、記憶媒体１２またはコネクタ１３の接続方法が表示部１７に表示されると同時に、該当する記憶媒体挿入口３２のシャッタ５５が開放され、フリッカ３３が点灯または点滅表示される（ステップｎ１１）。
【００４４】
図１１は、記憶媒体１２がスマートメデアである場合の接続を画像で案内表示し、利用者はこの表示に基づいて、ディジタルカメラ１１から取出した記憶媒体１２を指定された場所の記憶媒体挿入口３２に挿入することで、該記憶媒体１２はこれに対応する読取り装置５３にセットされる（ステップｎ１２）。  
なお、図示はないが、コネクタ１３が特定されたときも、これに対応する画像でその接続を案内表示する。
【００４５】
上述のようにディジタルカメラ１１の入力媒体（記憶媒体１２またはコネクタ１３）が受付け装置１０の入力手段（読取り装置５３またはコネクタ１５）にセットされると、その入力媒体に該当するソフトが起動して、ディジタルカメラ１１が撮像した画像情報が取込まれる（ステップｎ１３）。同時に表示部１７に撮像された画像が一覧表示、または１画面で許容される複数の画像が表示される。  
図１２は、撮像の画像の一覧または複数を表示した状態を示し、利用者は表示された撮像の画像からプリントを希望する画像を選択してタッチ入力して、選択入力する（ステップｎ１４）。
【００４６】
画像が選択されると、図１３に示すように、プリントの使用目的が表示され、使用目的に対応したものが選択されて、タッチ入力されると、その目的に対応して加工処理が実行される（ステップｎ１５，ｎ１６、ｎ１７）。
【００４７】
例えば、「証明写真」が選択された場合、前述の「証明写真の撮像」のプリント処理も含めて、次ぎのように処理する。  
記憶媒体１２またはコネクタ１３あるいは撮像から取込んだ画像情報により表示部１７には画像が表示される。図１４に示すように、肖像（人物）に対して背景が写し込まれているので、この背景を切取り加工して、図１５に示すように、肖像画像のみに加工する。次ぎに証明写真の種類に対応した大きさのプリントにするために、図１６に示すように、該大きさに対応した枠の画像が表示され、該枠を最もよい位置にセットして、図１７に示すように、該枠の外側の画像を切取り加工してプリント画像を決定する。
【００４８】
なお、上述の枠の画像の大きさを証明写真の種類に対応させ変更することにより、各種の証明写真のプリント画像を決定することができる。図１８は枠の大きさを入力するための表示状態を示し、この表示において写真サイズの縦×横の寸法を入力することにより、写真のサイズを指定することができる。
【００４９】
図１９は、１枚のプリント用紙に複数の画像をプリントした例を示し、また、図２０は、１枚のプリント用紙にサイズの異なる複数の画像をプリントした例を示し、このような状態でプリント出力することができる。
【００５０】
また、図１３に示す画像の選択で、はがきを選択した場合は、図２１に示すように、表示部１７の画面で取込んだ画像からプリントする範囲を切出し（トリーミング）、図２２に示すように、はがきの画像に切出した画像を配置して、住所、氏名、沙汰文などを入力部１８から入力する。なお、沙汰文などは用途を選択すれば定型文から選択して入力できるように構成することもできる。
【００５１】
また、図１３に示す画像の選択で、アルバムを選択した場合は、図２１に示す取込んだ画像に対して不要な部分があるときはその部分を切取り、不要な部分がないときは、画像全体を縮小して、図２３に示すように、余白を作り、該余白部分に、該画像に関するメモ書きを入力し、また、メモ書きが広範囲に渡る場合は、図２４に示すように、プリント２０の裏面にメモ書きが印刷されるように入力する。  
上述のようにして、画像の加工や文字の入力、プリント枚数等の必要事項の入力が終了すると、表示部１７に料金が表示されるので、この表示に沿って紙幣投入口３６および硬貨投入口３７に貨幣を投入し、投入金額がＯＫか否かを判定して、金額が不足するときはその不足分を再度投入し、釣り銭があるときは、釣り銭を釣り銭放出口３８に放出する（ステップｎ１８，ｎ１９）。
【００５２】
次いで、発注内容がＯＫか否かが判定され、追加のプリントがある場合は、表示部１７にタッチ入力することで、前述のステップｎ１４の画像選択にリターンし、発注内容がＯＫであれば、プリント処理が実行される（ステップｎ２０，ｎ２１）。
【００５３】
上述のプリント処理では、即時（クイック）プリント処理、ネットプリント処理、プリントを行わないで、保存用記憶媒体２３への保存処理が選択される。これらの選択は各処理が表示部１７に表示され、これをタッチ入力することで選択入力が可能である。
【００５４】
前述のステップｎ２１で、即時（クイック）プリント処理が選択されたときは、色特性補正装置６１で選択された画像の色彩のレベル調整、色彩の周波数補正等を自動的に実行して、画像をプリント出力し、次いで、選択された画像を保存するか否かを表示部１７に表示して確認し、保存が表示部１７からタッチ入力されたときは保存処理が実行される（ステップｎ２２，ｎ２３，ｎ２４）。
【００５５】
前述のステップｎ２１で、ネットプリント処理が選択されて、利用者が高品度のプリント２０を希望するときは、通信部２６が受付けた画像情報および加工情報と共に、利用者の住所、氏名の情報を、電話回線やデータ回線で構成されるネットワーク２７を介してプリント専門店２８に伝送し、サーバ２９はその画像情報および加工情報に基づいて高品度プリンタ３０で高品度のプリント２０をプリントアウトして、これを宅配または利用者が取りに行くことになる（ステップｎ２５）。
【００５６】
また、前述のステップｎ２１で、保存処理が選択されたときは、前述のプリント処理（ステップｎ２２〜ｎ２５）の処理がスキップされて、保存処理が実行される。表示部１７には保存用記憶媒体２３の種類が表示され、例えば、保存用の記憶媒体２３をＦＤに設定した場合、このＦＤが表示され、利用者がこれを指定すると、その接続方法が表示部１７に表示され、利用者はその接続方法に沿って、記憶媒体２３を保存用記憶媒体挿入口３４に挿入して、読取り書込み部２２にセットし、該読取り書込み部２２は記憶媒体２３に保存する画像情報および加工情報を書き込む（ステップｎ２６〜ｎ２９）。
【００５７】
その後、レシートジャーナル処理部５９で処理情報がジャーナルに記録されると共に、レシートが印刷発行されて、レシート放出口３９から放出される（ステップｎ３０）。また、前述のプリント処理（ステップｎ２２，ｎ２５）の処理後、画像情報および加工情報を保存しないときは、上述のレシートの発行処理（ステップｎ３０）が行われる。
【００５８】
以上のように、この実施例によれば、加工処理（ステップｎ１６）で画像情報を加工してプリントすることができるので、例えば、証明写真の場合、背景が入った肖像画像情報であっても、端末画面で背景などの不要部分を切取り消去して、肖像画像のみを切出して表示することができ、所定の大きさの証明写真枠を肖像画像の適当な位置に配置すると、この枠外の画像を切取って、プリント出力することができる。
【００５９】
したがって、個人が撮影した画像であっても、証明写真の条件を満たす写真をプリント出力することが容易にでき、ことに、ディジタルカメラの場合、画像を端末画面に表示して確認できるので、肖像画像が、例えば、目を閉じていて満足できない場合は、これを満足の行くように繰り返し修正することが可能である。
【００６０】
また、アルバム（記録用）写真の場合、例えば、旅行へ行った際に撮影した画像などでは、撮影場所や写っている画像の説明文などを一緒に残すため、画像情報をプリント出力するときに、端末から任意の情報を入力して画像情報と一緒にプリント出力でき、後刻の整理の際にプリント用紙以外に追記しておく必要がなく、また、該追記を紛失する恐れもない。
【００６１】
また、各種通知用の印刷物の場合、画像ごとに付加する情報を入力してはがきなどの媒体に印刷することができるので、多種に渡る画像情報を個別の宛先に発送することができ、例えば、年賀状などでは、受取人ごとにプリントする画像や文面を変えることが容易にできる。
【００６２】
加工処理（ステップｎ１６）の加工方法としては、印刷枚数が少ないときや、自宅にパソコンなどの入力手段がないときは、受付け装置１０の入力部１８を用いて入力し、情報量が多い場合や受け付け装置１０以外で作成された情報は、記憶媒体１２に記憶された状態で受付けて、必要な画像をその場で出力するか、通信回線を通じてサーバ側に保存することも可能であるような構成を採用することができ、情報の入力や修正加工が容易にできる。  
このようにこの実施例によれば、画像情報の選定加工、切取り加工、付加加工の処理が簡単であり、簡単に付加価値を付けることができる。
【００６３】
この発明の構成と、上述の実施例との対応において、
この発明の写真印刷装置および写真撮影印刷装置は、実施例の受付け装置１０に対応し、
以下同様に、
受付手段は、読取り部１４、コネクタ１５、およびディジタルカメラ２４に対応し、
表示手段は、表示部１７に対応し、
入力手段は、入力部１８に対応し、
印刷手段は、プリンタ１９に対応し、
制御手段は、ＣＰＵ５０に対応し、
貨幣処理手段は、紙幣処理装置５７および硬貨処理装置５８に対応するも、この発明は、特許請求の範囲に記載の技術的思想に沿って応用することができ、上述の実施例の構成のみに限定されるものではない。
【図面の簡単な説明】
【００６４】
【図１】ディジタルカメラの受付けシステムの構成図。
【図２】受付け装置の外観斜視図。
【図３】受付け装置の制御回路ブロック図。
【図４】受付け装置の受付け処理とプリント処理の動作フローチャート。
【図５】図４の続きを示す動作フローチャート。
【図６】図５の続きを示す動作フローチャート。
【図７】受付け装置の処理の選択を案内表示する表示部の表示説明図。
【図８】入力手段の特定操作画面を表示する表示部の表示説明図。
【図９】入力手段の特定操作をメーカ名で表示する表示部の表示説明図。
【図１０】入力手段の特定操作をカメラ機種で表示する表示部の表示説明図。
【図１１】記憶媒体の接続を案内表示する表示部の表示説明図。
【図１２】画像情報を一覧表示する表示部の表示説明図。
【図１３】画像に関する処理を選択する表示部の表示説明図。
【図１４】取込んだ画像情報を表示する表示部の表示説明図。
【図１５】背景の切取り加工を施した状態を表示する表示部の表示説明図。
【図１６】画像に切取り枠を施した状態を表示する表示部の表示説明図。
【図１７】枠外部を切取加工を施した状態を表示する表示部の表示説明図。
【図１８】枠の大きさを入力するときの表示部の表示説明図。
【図１９】複数の画像をプリントするときプリントの説明図。
【図２０】異サイズの複数の画像をプリントするときのプリントの説明図。
【図２１】取込んだ画像情報を表示する表示部の表示説明図。
【図２２】はがきに画像を配置したときの表示部の表示説明図。
【図２３】プリント余白にメモ書きを施したプリントの説明図。
【図２４】プリントの裏面にメモ書きを施したフリントの説明図。
【符号の説明】
【００６５】
１０…受付け装置
１４…読取り部
１５…コネクタ
１７…表示部
１８…入力部
１９…プリンタ
２４…ディジタルカメラ
５０…ＣＰＵ
５７…紙幣処理装置
５８…硬貨処理装置
【図１】
2006014347.tif 000003
【図２】
2006014347.tif 000004
【図３】
2006014347.tif 000005
【図４】
2006014347.tif 000006
【図５】
2006014347.tif 000007
【図６】
2006014347.tif 000008
【図７】
2006014347.tif 000009
【図８】
2006014347.tif 000010
【図９】
2006014347.tif 000011
【図１０】
2006014347.tif 000012
【図１１】
2006014347.tif 000013
【図１２】
2006014347.tif 000014
【図１３】
2006014347.tif 000015
【図１４】
2006014347.tif 000016
【図１５】
2006014347.tif 000017
【図１６】
2006014347.tif 000018
【図１７】
2006014347.tif 000019
【図１８】
2006014347.tif 000020
【図１９】
2006014347.tif 000021
【図２０】
2006014347.tif 000022
【図２１】
2006014347.tif 000023
【図２２】
2006014347.tif 000024
【図２３】
2006014347.tif 000025
【図２４】
2006014347.tif 000026